(57)【要約】【課題】突風などにより過大な外力が働いて全開される場合でも内挿部材が変形することがなく、全開に保持するための保持機構が扉などの開閉時に異音を発生するのを防止することができる扉等開度調整器を提供することである。【解決手段】外筒と、該外筒内に入れ子式に挿入される内挿部材とを有する伸縮ステーとからなり、前記外筒の内部に段差部が設けられ、前記内挿部材の後端部の側縁にリブが形成され、かつ扉等の全開時において、内挿部材が外筒から抜けるのを防止するために、前記内挿部材の後端部の側縁に前記段差部と当接する当接片が前記リブを介して一体的に形成されてなることを特徴としている。【選択図】図１
0003113655.tif 000002
【実用新案登録請求の範囲】
【請求項１】
外筒と、該外筒内に入れ子式に挿入される内挿部材とを有する伸縮ステーとからなる扉等開度調整器であって、
前記外筒の内部に段差部が設けられ、
前記内挿部材の後端部の側縁にリブが形成され、かつ扉等の全開時において、内挿部材が外筒から抜けるのを防止するために、前記内挿部材の後端部の側縁に前記段差部と当接する当接片が前記リブを介して一体的に形成されてなる
ことを特徴とする扉等開度調整器。
【請求項２】
前記伸縮ステー内に全開用の保持機構が設けられ、
該保持機構が、前記内挿部材の後端側に当該内挿部材の幅方向に移動自在に設けられた軸と、
該軸に回転自在に設けられた回転部材と、
当該回転部材を前記外筒の一方の内側面へ付勢する付勢手段と、
前記外筒の先端側に設けられた係止部と
を備えてなる請求項１記載の扉等開度調整器。
【請求項３】
前記係止部が、前記外筒の先端側の内側面に設けられた歯と、前記外筒の先端に固着されたストッパからなる請求項1または２記載の扉等開度調整器。
【請求項４】
前記当接片の後端側に、前記外筒の先端側の内側面と摩擦摺動するブレーキ部が設けられてなる請求項１、２または３記載の扉等開度調整器。
【請求項５】
前記外筒の底部に、前記内挿部材と摩擦摺動する制動手段が設けられてなる請求項１、２、３または４記載の扉等開度調整器。
【考案の詳細な説明】
【技術分野】
【０００１】
本考案は扉等開度調整器に関する。さらに詳しくは、扉等が突風などにより過大な外力がかかって全開した際に部材の変形を防止することができ、かつ扉などを全開に保持するため保持機構が扉などの開閉時に異音を発生するのを確実に防止することができる扉等開度調整器に関する。
【背景技術】
【０００２】
従来の扉等開度調整器としては、図８に示されるように、外筒８２と該外筒８２内に入れ子式に挿入される比較的長尺の内挿部材８３とから構成された伸縮ステー８１のように、ステー（扉等を支持するための一種のつっかえ棒）の長さを自由に調整して窓Ｗの開度を調整する開度調整器が知られている。
【０００３】
参照符号８４は蝶番である。内挿部材８３は、外筒８２に対して、ラチェット機構やデテント機構などの保持機構によって、不用意に窓Ｗが閉止しないように、全開位置において保持される仕組みになっている。図８の伸縮ステー８１に内蔵された全開用の保持機構は、図９に示されるように、内挿部材８３の下面の後端側に突出する凸部６１と、外筒８２の内面の前端側に突出する係止突起６２とからなる。６０は外筒８２内の底部に形成された浅溝であり、ステーストッパ５６下面に形成された凸部６１を案内するものである。凸部６１は、内挿部材８３が最大限引き出されたときに浅溝６０内に形成された係止突起６２を乗り越えて係止されるので、伸縮ステー８１は全開位置で強固に保持される。
【０００４】
ステーストッパ５６にはＨ型スリット５７が形成され、その中央部にテーパ状座面を有するネジ孔が形成され、このネジ孔にテーパ下面を有する調節ネジ５８が螺入されている。調節ネジ５８を締め込むとＨ型スリット５７が開き、ステーストッパ５６の両側面５９が張り出し、外筒８２の両内側面に押圧されて摺動抵抗が生じるようになっている。かかる抵抗により、伸縮ステー８１を任意の長さで保持することができる。
【０００５】
また、窓Ｗの全開状態を解除するばあいには、やや強く窓を閉めることにより、凸部６１が係止突起６２を乗り越えるため、全開状態は解除される。
【考案の開示】
【考案が解決しようとする課題】
【０００６】
しかし、従来の保持機構は、ステーストッパ５６は、突風などにより過大な外力がかかって伸縮ステー８１が全開する場合に変形を起こすという問題がある。また、ステー内挿部材８３側の凸部６１が外筒８２の内面を擦りながら移動するため、異音を発生させるばあいがある。そして全開になったときに異音が発生しており、人に不快感を与えるという問題がある。
【０００７】
本発考案はかかる問題を解消するためになされたものであり、突風などにより過大な外力が働いて全開される場合でも内挿部材が変形することがなく、全開に保持するための保持機構が扉などの開閉時に異音を発生するのを防止することができる扉等開度調整器を提供することを目的とする。
【課題を解決するための手段】
【０００８】
本考案の扉等開度調整は、外筒と、該外筒内に入れ子式に挿入される内挿部材とを有する伸縮ステーとからなる扉等開度調整器であって、
前記外筒の内部に段差部が設けられ、
前記内挿部材の後端部の側縁にリブが形成され、かつ扉等の全開時において、内挿部材が外筒から抜けるのを防止するために、前記内挿部材の後端部の側縁に前記段差部と当接する当接片が前記リブを介して一体的に形成されてなる
ことを特徴としている。
【０００９】
また、前記伸縮ステー内に全開用の保持機構が設けられ、
該保持機構が、前記内挿部材の後端側に当該内挿部材の幅方向に移動自在に設けられた軸と、
該軸に回転自在に設けられた回転部材と、
当該回転部材を前記外筒の一方の内側面へ付勢する付勢手段と、
前記外筒の先端側に設けられた係止部と
を備えることができる。
【００１０】
また、前記係止部が、前記外筒の先端側の内側面に設けられた歯と、前記外筒の先端に固着されたストッパからなることが好ましい。
【００１１】
また、前記当接片の後端側に、前記外筒の先端側の内側面と摩擦摺動するブレーキ部が設けられてなることが好ましい。
【００１２】
また、前記外筒の底部に、前記内挿部材と摩擦摺動する制動手段が設けられてなることが好ましい。
【考案の効果】
【００１３】
本考案の請求項１にかかわる扉等開閉器は、外筒と、該外筒内に入れ子式に挿入される内挿部材とを有する伸縮ステーとからなり、前記外筒の内部に段差部が設けられ、扉等の全開時において、内挿部材が外筒から抜けるのを防止するために、前記内挿部材の後端部の側縁に前記段差部と当接する当接片がリブを介して一体的に形成されている構成を有しているので、扉等が突風などにより過大な外力がかかって全開した際に、当接片が段差部から回転モーメントを付与されてもリブにより吸収するため内挿部材の変形を防止することができる。
【００１４】
本考案の請求項２にかかわる扉等開閉器によれば、回転部材の転がりを利用して保持機構が扉などの開閉時に異音を発生するのを防止することができる。とくに全開になったときに異音がしないので人に不快感を与えることがない。
【考案を実施するための最良の形態】
【００１５】
つぎに、図面を参照しながら、本考案の扉等開閉器を以下に詳細に説明する。
【００１６】
図１の（ａ）は本考案の扉等開閉器を構成する伸縮ステーにおける内挿部材の当接片と外筒の段差部とが当接する直前の状態を示し、（ｂ）は当接片が段差部とが当接している状態を示している説明図、図２は図１の伸縮ステーを構成する外筒を示す斜視図、図３は図１の伸縮ステーを構成する内挿部材の要部を示す側面説明図、図４は図３の内挿部材の正面説明図、図５は図３の内挿部材の当接片が段差部とが当接している状態を示す説明図、図６は図１の扉等開度調整器が取り付けられた扉の閉状態を示す説明図、図７は図１の扉等開度調整器が取り付けられた扉の開状態を示す説明図である。
【００１７】
図１〜７に示される扉等開度調整器を構成する伸縮ステー１は、外筒２と、該外筒２内に入れ子式に挿入される内挿部材３とを有している。そして、外筒２の内部には、段差部１６が設けられ、内挿部材３の後端部の側縁にリブＲが形成され、かつ扉Ｄの全開時において、内挿部材３が外筒２から抜けるのを防止するために、内挿部材２の後端部の側縁に段差部１６と当接する当接片１５がリブＲ（図３、４参照）を介して一体的に形成されている。
【００１８】
外筒２の内部に段差部１６（図２参照）が設けられ、扉Ｄの全開時において、内挿部材３が外筒２から抜けるのを防止するために、内挿部材３の後端部の側縁に前記段差部１６と当接する当接片１５が三角形状のリブＲ（図３、４参照）を介して一体的に形成されている。
【００１９】
ここで、図３を参照すると、扉が突風などの過大な外力により全開されると、当接片１５が段差部１６と衝突し、段差部１６から矢印Ｍで示すように反時計方向に回転モーメントが付与され、内挿部材３の後端部が矢印Ｍの方向に反る方向の外力を受ける。しかし、図３、４に示されるように、リブＲがこの外力を吸収するため、内挿部材３の後端部は実質的に変形（矢印Ｍの方向に反る）ことが防止されるのである。
【００２０】
また、伸縮ステー１を、たとえば、図６〜７に示されるように、扉Ｄの上部付近に取り付けることにより、扉Ｄを全開状態で保持することができる。図６〜７において、扉ＤはＤ１側が枠部材Ｆに蝶着されており、ブラケットＢ1は枠部材ＦのＤ１寄りにネジなどによって固着されている。ブラケットＢ1に対して、外筒２の後端部がピンなどによって回転自在に連結されている。一方、内挿部材３の先端部は、ブラケットＢ2に対して、ピンなどによって回転自在に連結されている。ブラケットＢ2は、扉Ｄの上部付近にネジなどによって固着されている。
【００２１】
保持機構は、図１（ａ）、（ｂ）に示されるように、内挿部材３の後部に固着された軸４に対して、一端が揺動自在に設けられたアーム５と、該アーム５の他端にかしめなどにより固着された軸６と、軸６に回転自在に設けられた回転部材７と、前記外筒２の先端側の内側面２ａに設けられた歯８およびストッパ９からなる係止部１０とから構成されている。歯８の高さは、回転部材７の半径より低いため、回転部材７は比較的容易に歯８を乗り越えることができる。
【００２２】
前記アーム５は、たとえば回転バネ１２によって、常時矢印Ａ方向に付勢され、それにより、回転部材７は内側面２ａに常時接触している。回転バネ１２の一端部は、アーム５の係合突起５ａに係合し、一方、図示されない他端部は、内挿部材３の内部に係止されている。
【００２３】
本実施の形態では、回転部材７を前記外筒２の一方の内側面２ａに当接させるように付勢する付勢手段として、アーム５および当該アーム５を付勢する回転バネ１２を組合せたものを採用しているが、本考案はこれに限定されるものではなく、当業者に自明な種々の修正、変更、変形は本考案に含まれる。
【００２４】
回転部材７は、前記付勢手段によって常時外筒２の一方の内側面２ａへ付勢されている。したがって、回転部材７は、扉の開閉のあいだの当該内側面２ａに接触するとき、たとえば少なくとも歯８を乗り越えるときに回転するため、異音を発生することがない。
【００２５】
回転部材７は、鋼材、真ちゅう、ステンレスなどの金属材料や、耐衝撃性に優れたポリアセタールなどからなる硬質のプラスチック材料から製造された環状部材からなることが好ましい。
【００２６】
回転部材７は、それ自体が軸６に対して回転する環状部材であるため、構造が簡単であり、破損しにくい。
【００２７】
図１に示されるように、前記内挿部材３の後端には、たとえばＡＢＳ、ポリエステルなどの樹脂からなるブレーキ部１３が固着されている。一方、ブレーキ部１３と摩擦摺動するために、前記外筒２の先端側の両側の内側面２ａ、２ｂからそれぞれするようにしてもよい。
【００２８】
また、図２に示されるように、外筒２の底部２ｃに、内挿部材３と摩擦摺動する制動手段２０として機能する部材をプレス加工によって隆起させたり、合成樹脂材料や金属材料を溶接やリベットなどの固着手段によって設けるようにしてもよい。また、制動手段２０は、外筒２の側部２ｄ（図２参照）に設けてもよい。
【００２９】
このようにすると、扉Ｄを勢いよく全開にするとき、全開直前において、内挿部材３のブレーキ部１３が外筒２と摩擦摺動し、かつ外筒２の制動手段２０が内挿部材３と摩擦摺動するので、内挿部材３の移動速度を減速することができる。そのため、衝突の衝撃をさらに小さくすることができ、回転部材７は破損しにくくなる。
【００３０】
図１〜４の内挿部材３の後端部には当接片１５が設けられ、一方、外筒２の内部には段差部１６が設けられている。かかる当接片１５は、全開時においては、段差部１６に当接することにより、内挿部材３が外筒２から抜けるのを防止する。それとともに全開時の衝撃を集中的に受けることにより、回転部材７の破損を防止することができる。
【００３１】
また、ストッパ９の材料は、本考案はとくに限定されるものではないが、弾力性および耐衝撃性のある、たとえばＡＢＳ樹脂、ポリエステルなどの合成樹脂材料によって作製すれば、衝撃吸収効果が高いため、前記回転部材７の破損をさらに防止することができるという利点がある。
【００３２】
本実施の形態における保持機構は、図６〜７に示すように、扉Ｄを全開したときに内挿部材３のほぼ全体が外筒２から引き出され、図１（ａ）、（ｂ）に示されるように、回転部材７は、外筒２の内側面２ａの表面を転がりながら歯８に衝突し、ついで歯８を乗り越え、そののちストッパ９に衝突して停止する。扉Ｄの全開時において、回転部材７は、図１（ｂ）に示されるように、歯８およびストッパ９のあいだの谷部１１に係止される。それにより、内挿部材２および扉Ｄは、全開位置に保持される。
【００３３】
扉Ｄの全開状態を解除するばあいは、やや強く扉Ｄを閉めれば、谷部１１にある回転部材７が歯８に衝突し、ついで、歯８を乗り越えて、再び、図１（ａ）の位置に戻り、全開状態が解除される。
【００３４】
本実施例では、本考案の扉等開度調整器の取り付ける対象の一例として、扉を例にあげて説明したが、本考案はこれに限定されるものではなく、扉、窓、またはその他全開状態で保持する必要がある建具または家具などに適用することができる。
【図面の簡単な説明】
【００３５】
【図１】（ａ）は本考案の扉等開閉器を構成する伸縮ステーにおける内挿部材の当接片と外筒の段差部とが当接する直前の状態を示し、（ｂ）は当接片が段差部とが当接している状態を示している説明図である。
【図２】図１の伸縮ステーを構成する外筒を示す斜視図である。
【図３】図１の伸縮ステーを構成する内挿部材の要部を示す側面説明図である。
【図４】図３の内挿部材の正面説明図である。
【図５】図３の内挿部材の当接片が段差部とが当接している状態を示す説明図である。
【図６】図１の扉等開度調整器が取り付けられた扉の閉状態を示す説明図である。
【図７】図１の扉等開度調整器が取り付けられた扉の開状態を示す説明図である。
【図８】従来の扉等開度調整器が取り付けられた窓の斜視図である。
【図９】図８の扉等開度調整器内部の保持機構を示す概略正面図である。
【符号の説明】
【００３６】
１  伸縮ステー
２  外筒
３  内挿部材
６  軸
７  回転部材
８  歯
９  ストッパ
１０  係止部
２０  制動手段
Ｒ  リブ
【図１】
0003113655.tif 000003
【図２】
0003113655.tif 000004
【図３】
0003113655.tif 000005
【図４】
0003113655.tif 000006
【図５】
0003113655.tif 000007
【図６】
0003113655.tif 000008
【図７】
0003113655.tif 000009
【図８】
0003113655.tif 000010
【図９】
0003113655.tif 000011